(57)【要約】  本発明は、移動通信システムの無線網品質測定方法及びそのためのシステムに関するものであって、本発明による無線網品質測定方法は、無線品質分析サーバーが特定の加入者端末に対する位置サービスを交換器に要請するステップ；上記交換器が上記加入者端末に対する位置報告要請を基地局制御器に伝送するステップ；上記基地局制御器が上記位置報告要請に基づいて上記加入者端末に無線品質測定要請を伝送するステップ；上記基地局制御器が上記加入者端末から無線品質測定報告を受信するステップ；及び上記基地局制御器が上記無線品質測定報告から無線品質測定のためのデータを抽出し上記無線品質分析サーバーに伝送するステップ；を含むことを特徴とする。
2009528803.tif 000002
【特許請求の範囲】
【請求項１】
無線品質分析を行う無線品質分析サーバー、交換器及び基地局制御器を含む移動通信システムにおいて位置サービスを利用して無線網の無線品質を測定する方法であって、
（ａ）上記無線品質分析サーバーが特定の加入者端末に対する位置サービスを上記交換器に要請するステップ；
（ｂ）上記交換器が上記加入者端末に対する位置報告要請を上記基地局制御器に伝送するステップ；
（ｃ）上記基地局制御器が上記位置報告要請に基づいて上記加入者端末に無線品質測定要請を伝送するステップ；
（ｄ）上記基地局制御器が上記加入者端末から無線品質測定報告を受信するステップ；及び
（ｅ）上記基地局制御器が上記無線品質測定報告から無線品質測定のためのデータを抽出し上記無線品質分析サーバーに伝送するステップ；を含む無線網の無線品質測定方法。
【請求項２】
上記ステップ（ｂ）の以前に、
上記加入者端末が遊休（Ｉｄｌｅ）状態である場合、上記交換器が上記加入者端末を活性化状態に遷移させるステップ；をさらに含むことを特徴とする請求項１に記載の無線網の無線品質測定方法。
【請求項３】
上記ステップ（ｃ）において、上記基地局制御器は、無線品質測定のためのデータの種別に無線品質測定要請を伝送し、
上記ステップ（ｄ）において、上記基地局制御器は、無線品質測定のためのデータをすべて含む一つの無線品質測定報告を受信することを特徴とする請求項１または請求項２に記載の無線網の無線品質測定方法。
【請求項４】
上記基地局制御器は、上記加入者端末から無線品質測定報告を周期的に受信することを特徴とする請求項３に記載の無線網の無線品質測定方法。
【請求項５】
上記ステップ（ｅ）において、
上記基地局制御器は、無線品質測定のためのデータと基地局から獲得されたＲＴＴ（Ｒｏｕｎｄ Ｔｒｉｐ Ｔｉｍｅ）とを総合して上記無線品質分析サーバーに伝送することを特徴とする請求項１または請求項２に記載の無線網の無線品質測定方法。
【請求項６】
上記無線品質測定のためのデータは、
共同パイロットチャンネルの受信信号コード強さ（ＣＰＩＣＨ ＲＳＣＰ）、共同パイロットチャンネルの信号強度（Ｅｃ／Ｉｏ）、ＢＬＥＲ（Ｂｌｏｃｋ Ｅｒｒｏｒ Ｒａｔｅ）、加入者端末の送信電力（Ｔｘ Ｐｏｗｅｒ）、加入者端末の送受信時間差（ＲＸ‐Ｔｘ Ｔｉｍｅ Ｄｉｆｆｅｒｅｎｃｅ）を含むことを特徴とする請求項１に記載の無線網の無線品質測定方法。
【請求項７】
移動通信システムにおいて遊休状態の加入者端末を利用して無線網の無線品質を測定する方法であって、
（ａ）遊休状態の加入者端末に位置登録命令を伝送するステップ；
（ｂ）上記加入者端末から位置登録要請を受信するステップ；
（ｃ）上記受信された位置登録要請から無線品質測定のためのデータを抽出するステップ；及び
（ｄ）上記抽出されたデータに基づいて無線網の無線品質を分析するステップ；を含む無線網の無線品質測定方法。
【請求項８】
上記ステップ（ｂ）以後に、
ホーム位置登録器で上記加入者端末の位置情報をアップデートするステップ；をさらに含むことを特徴とする請求項７に記載の無線網の無線品質測定方法。
【請求項９】
上記無線品質測定のためのデータは、
Ｅｃ／Ｉｏ、ＰＮ＿Ｐｈａｓｅを含むことを特徴とする請求項７または請求項８に記載の無線網の無線品質測定方法。
【請求項１０】
無線品質分析を行う無線品質分析サーバー、交換器及び基地局制御器を含む移動通信システムにおいて無線網の無線品質を測定する方法であって、
（ａ）上記無線品質分析サーバーが、無線品質測定データの収集範囲を設定して関連情報を上記基地局制御器に伝送するステップ；
（ｂ）上記基地局制御器が、上記収集範囲で呼設定した加入者端末に無線品質測定要請を伝送するステップ；
（ｃ）上記基地局制御器が、上記加入者端末から無線品質測定報告を受信するステップ；及び
（ｄ）上記基地局制御器が、上記無線品質測定報告から無線品質測定のためのデータを抽出し上記無線品質分析サーバーに伝送するステップ；を含む無線網の無線品質測定方法。
【請求項１１】
上記ステップ（ｂ）において、上記基地局制御器は無線品質測定のためのデータの種別に無線品質測定要請を伝送し、
上記ステップ（ｃ）において、上記基地局制御器は無線品質測定のためのデータをすべて含む一つの無線品質測定報告を受信することを特徴とする請求項１０に記載の無線網の無線品質測定方法。
【請求項１２】
上記ステップ（ｃ）以後に、
上記基地局制御器が所定の伝送周期を設定した無線品質測定要請を上記加入者端末に伝送するステップ；をさらに含み、
上記基地局制御器は上記伝送周期に応じて上記加入者端末から無線品質測定報告を受信することを特徴とする請求項１０または請求項１１に記載の無線網の無線品質測定方法。
【請求項１３】
上記ステップ（ｄ）において、
上記基地局制御器は、無線品質測定のためのデータと基地局から獲得されたＲＴＴとを総合して上記無線品質分析サーバーに伝送することを特徴とする請求項１０または請求項１１に記載の無線網の無線品質測定方法。
【請求項１４】
上記ステップ（ｃ）の無線品質測定報告は、
周期的パイロット強度測定メッセージ（ＰＰＳＭＭ：Ｐｅｒｉｏｄｉｃ Ｐｉｌｏｔ Ｓｔｒｅｎｇｔｈ Ｍｅａｓｕｒｅｍｅｎｔ Ｍｅｓｓａｇｅ）またはパイロット強度測定メッセージ（ＰＳＭＭ：Ｐｉｌｏｔ Ｓｔｒｅｎｇｔｈ Ｍｅａｓｕｒｅｍｅｎｔ Ｍｅｓｓａｇｅ）のうち何れか一つであることを特徴とする請求項１０に記載の無線網の無線品質測定方法。
【請求項１５】
上記ステップ（ｄ）は、
上記基地局制御器が、上記無線品質測定報告から無線品質測定のためのデータを抽出するステップ；及び
上記基地局制御器が、基地局から周期的に受信されるＲＴＤ（Ｒｏｕｎｄ Ｔｒｉｐ Ｄｅｌａｙ）のうち最も最近のＲＴＤと上記抽出されたデータとを総合して無線品質測定結果メッセージを生成し上記無線品質分析サーバーに伝送するステップ；を含むことを特徴とする請求項１０に記載の無線網の無線品質測定方法。
【請求項１６】
無線品質分析を行う無線品質分析サーバー、基地局システムを含んで構成された移動通信システムにおいてハンドオーバーする加入者端末を利用して無線網の無線品質を測定する方法であって、
（ａ）上記基地局システムがハンドオーバー地域に進入した加入者端末からハンドオーバー要請メッセージを受信するステップ；
（ｂ）上記基地局システムが上記加入者端末にハンドオーバー指示メッセージを伝送するステップ；及び
（ｃ）上記基地局システムが上記ハンドオーバー要請メッセージから無線品質測定のためのデータを抽出して上記無線品質分析サーバーに伝送するステップ；を含む無線網の無線品質測定方法。
【請求項１７】
上記ステップ（ａ）において、
上記基地局システムは、上記ハンドオーバー地域に進入した加入者端末からパイロット強度測定メッセージ（ＰＳＭＭ：Ｐｉｌｏｔ Ｓｔｒｅｎｇｔｈ Ｍｅａｓｕｒｅｍｅｎｔ Ｍｅｓｓａｇｅ）または測定報告（ＭＲ：Ｍｅａｓｕｒｅｍｅｎｔ Ｒｅｐｏｒｔ）メッセージのうち一つを受信することを特徴とする請求項１６に記載の無線網の無線品質測定方法。
【請求項１８】
移動通信システムにおいて無線網の無線品質を測定するためのシステムであって、
位置サービスに基づいて加入者端末に対する位置報告制御を行う交換器；
上記交換器から特定の加入者端末に対する位置報告命令を受信すれば、上記特定の加入者端末に無線品質測定要請を伝送しそれに応じた応答を受信する基地局制御器；及び
上記基地局制御器から上記応答から抽出された無線品質測定のためのデータを受信しそれに基づいて無線網の無線品質を分析する無線品質分析サーバー；を含む無線網の品質測定システム。
【請求項１９】
上記交換器は、位置報告制御を受ける加入者端末が遊休状態である場合臨時活性化させて位置報告制御を行うことを特徴とする請求項１８に記載の無線網の品質測定システム。
【請求項２０】
上記無線品質分析サーバーは、
無線品質測定データの収集範囲を設定して関連情報を上記基地局制御器に伝送し、
上記基地局制御器は、
上記収集範囲で呼設定した加入者端末から無線品質測定応答を受信することを特徴とする請求項１９に記載の無線網の無線品質測定システム。
【請求項２１】
上記基地局制御器は、
加入者端末に無線品質測定のためのデータの種別に無線品質測定要請を伝送し、無線品質測定のためのデータをすべて含む一つの無線品質測定応答を受信することを特徴とする請求項２０に記載の無線網の無線品質測定システム。
【請求項２２】
移動通信システムにおいて無線網の無線品質を測定するための装置であって、
無線網において無線品質測定データを収集する範囲を設定するための収集範囲設定手段；
上記収集範囲設定手段により設定された範囲内で呼設定した加入者端末から無線品質測定データを収集するためのデータ収集手段；
上記データ収集手段で収集した無線品質測定データを利用して上記加入者端末が位置する領域の無線品質を分析するための無線品質分析手段；及び
上記無線品質分析手段により分析された結果を出力するための出力手段；を含む無線品質分析装置。
【発明の詳細な説明】
【発明の詳細な説明】
【０００１】
〔技術分野〕
本発明は、移動通信システムに関するものであって、さらに詳しくは、移動通信システムの無線網品質測定方法及びそのためのシステムと、無線網品質測定装置に関する。
【０００２】
〔背景技術〕
移動通信システム（ＣＤＭＡまたはＷＣＤＭＡ）において移動通信サービスを行う終端システムは基地局である。基地局は端末と絶え間ないシグナリングを通じて通話が維持できるようにする。移動通信サービスの高い品質のためには多くの基地局が有機的に設計されるべきであり、最適の無線網品質を確保すべきである。各サービス運用事業者は最適の網を確保するために多くの投資をしてきており、今後にも継続的な投資が必要である。
【０００３】
特に、通信サービスの初期には持続的な加入者の増加により無線網の容量を増加させるのに多くの投資が必要であったが、加入者増加状態が徐々に飽和されてから移動通信サービスの品質に対する面がより強調されている。このため、サービス運用事業者は基地局を再配置し陰影地域に中継器を開設するなどクラスタ最適化作業に多くの努力を傾けている。
【０００４】
従来には無線網品質測定方法として、車両ルーティング測定、またはインビルディング測定機を利用した建物内品質測定が主に行われた。ところが、このような従来の無線網品質測定方法は殆ど人力によって行われるので莫大な人力と物資とが所要される。また、従来の無線網品質測定方法はサンプリングを通じて行われるので多くの人力と物資とを動員してもサービス全地域に対する測定は不可能であるという限界があった。
【０００５】
一方、無線網においては移動サービスの連続性のために加入者端末と無線網との間に絶え間なく制御信号が送受信される。特に、加入者端末は、基地局間、あるいは基地局内のセクター間ハンドオーバーのために、または自分のサービス品質状態を報告するためにメッセージを無線網に伝送する。そして、無線網は加入者端末から受信したメッセージを利用してハンドオーバーを行うか電力制御を行う。
【０００６】
現在、このようなメッセージは無線網と加入者端末との間のサービス連続性を保つための情報としてのみ活用されている。このようなメッセージを無線網の全体的な無線品質を測定するのに利用すれば、人的・物的資源を大幅に減らしながらもサービス全地域に対する品質測定が可能になるであろう。
【０００７】
〔技術的課題〕
本発明は、上記問題点を解決するために創案されたものであって、移動通信システムにおいて無線網と加入者端末との間にハンドオーバーまたはサービス品質維持のために送受信されるメッセージを利用して、無線網の無線品質を測定し分析するための無線網の無線品質測定方法及びそのためのシステムと、無線網品質測定装置を提供することにその目的がある。
【０００８】
〔技術的解決方法〕
上記目的を達成するための本発明の第１側面による、無線品質分析を行う無線品質分析サーバー、交換器及び基地局制御器を含む移動通信システムにおいて位置サービスを利用して無線網の無線品質を測定する方法は、上記無線品質分析サーバーが特定の加入者端末に対する位置サービスを上記交換器に要請するステップ；上記交換器が上記加入者端末に対する位置報告要請を上記基地局制御器に伝送するステップ；上記基地局制御器が上記位置報告要請に基づいて上記加入者端末に無線品質測定要請を伝送するステップ；上記基地局制御器が上記加入者端末から無線品質測定報告を受信するステップ；及び上記基地局制御器が上記無線品質測定報告から無線品質測定のためのデータを抽出して上記無線品質分析サーバーに伝送するステップ；を含むことを特徴とする。
【０００９】
また、上記目的を達成するための本発明の第２側面による、移動通信システムにおいて遊休状態の加入者端末を利用して無線網の無線品質を測定する方法は、遊休状態の加入者端末に位置登録命令を伝送するステップ；上記加入者端末から位置登録要請を受信するステップ；上記受信された位置登録要請から無線品質測定のためのデータを抽出するステップ；及び上記抽出されたデータに基づいて無線網の無線品質を分析するステップ；を含むことを特徴とする。
【００１０】
また、上記目的を達成するための本発明の第３側面による、無線品質分析を行う無線品質分析サーバー、交換器及び基地局制御器を含む移動通信システムにおいて無線網の無線品質を測定する方法は、上記無線品質分析サーバーが、無線品質測定データの収集範囲を設定して関連情報を上記基地局制御器に伝送するステップ；上記基地局制御器が、上記収集範囲で呼設定した加入者端末に無線品質測定要請を伝送するステップ；上記基地局制御器が、上記加入者端末から無線品質測定報告を受信するステップ；及び上記基地局制御器が、上記無線品質測定報告から無線品質測定のためのデータを抽出し上記無線品質分析サーバーに伝送するステップ；を含むことを特徴とする。
【００１１】
また、上記目的を達成するための本発明の第４側面による、無線品質分析を行う無線品質分析サーバー、基地局システムを含んで構成された移動通信システムにおいてハンドオーバーする加入者端末を利用して無線網の無線品質を測定する方法は、上記基地局システムがハンドオーバー地域に進入した加入者端末からハンドオーバー要請メッセージを受信するステップ；上記基地局システムが上記加入者端末にハンドオーバー指示メッセージを伝送するステップ；及び上記基地局システムが上記ハンドオーバー要請メッセージから無線品質測定のためのデータを抽出し上記無線品質分析サーバーに伝送するステップ；を含むことを特徴とする。
【００１２】
また、上記目的を達成するための本発明の第５側面による、移動通信システムにおいて無線網の無線品質を測定するためのシステムは、位置サービスに基づいて加入者端末に対する位置報告制御を行う交換器；上記交換器から特定の加入者端末に対する位置報告命令を受信すれば、上記特定の加入者端末に無線品質測定要請を伝送しそれに応じた応答を受信する基地局制御器；及び上記基地局制御器から上記応答から抽出された無線品質測定のためのデータを受信しそれに基づいて無線網の無線品質を分析する無線品質分析サーバー；を含むことを特徴とする。
【００１３】
また、上記目的を達成するための本発明の第６側面による、移動通信システムにおいて無線網の無線品質を測定するための装置は、無線網において無線品質測定データを収集する範囲を設定するための収集範囲設定手段；上記収集範囲設定手段により設定された範囲内で呼設定した加入者端末から無線品質測定データを収集するためのデータ収集手段；上記データ収集手段で収集した無線品質測定データを利用して上記加入者端末が位置する領域の無線品質を分析するための無線品質分析手段；及び上記無線品質分析手段により分析された結果を出力させるための出力手段；を含むことを特徴とする。
【００１４】
〔発明の実施のための最良の形態〕
以下、添付した図面を参照しながら本発明の望ましい実施例を詳しく説明する。これに先立って、本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想のすべてを代弁するものではないため、本出願時点においてこれらに代替できる多様な均等物と変形例があり得ることを理解しなければならない。
【００１５】
図１は、本発明の望ましい一実施例による非同期ＷＣＤＭＡ無線網品質測定システムのネットワーク構成を示した図面である。
【００１６】
図１に示すように、非同期ＷＣＤＭＡ無線網品質測定システムは、基地局（ＮｏｄｅＢ）１０、基地局制御器（ＲＮＣ）１１、交換器（ＭＳＣ）１２、運用サーバー（Ｏ＆Ｍサーバー：Ｏｐｅｒａｔｉｏｎ ａｎｄ Ｍａｎａｇｅｍｅｎｔ）１３、ゲートウェイ移動位置センター（ＧＭＬＣ：Ｇａｔｅｗａｙ Ｍｏｂｉｌｅ Ｌｏｃａｔｉｏｎ Ｃｅｎｔｅｒ）１４、ホーム位置登録器１５及び無線品質分析装置２００を含む。
【００１７】
基地局１０は、無線信号送受信、無線チャンネル符号化及び復号化、ベースバンド信呼処理、ダイバーシティ（空間）、無線資源管理及び自体維持補修機能を行う。基地局制御器１１は、基地局１０との整合、セル間ハンドオーバー処理、呼制御などの機能を行い、一つの基地局制御器１１は数個の基地局１０を制御する。
【００１８】
特に、基地局制御器１１は、交換器１２から移動通信端末の位置報告制御メッセージを受信するか、または無線品質分析装置２００により設定されたサブセルに位置する移動通信端末が呼設定した場合、移動通信端末に無線品質測定制御メッセージを伝送してそれに応じた無線品質測定報告メッセージを受信する。基地局制御器１１はその受信された無線品質測定報告メッセージから無線品質測定のためのデータを抽出し運用サーバー１３に伝送する。
【００１９】
望ましくは、基地局制御器１１は、無線品質測定を行うサブセル情報（ＭＳＣ範囲、ＲＮＣ範囲、ＮｏｄｅＢ範囲、セクター範囲、ＦＡ範囲など）を運用サーバー１３から受信し、該当するサブセルで呼設定される場合呼設定された移動通信端末に無線品質測定制御メッセージを伝送しこれに対する応答を受信することができる。
【００２０】
交換器１２は、基地局制御器１１とのインターフェース機能を提供し、移動通信加入者相互間の交換、移動通信加入者とＰＳＴＮ、ＩＳＤＮなどの固定網加入者との交換機能（連動機能）を提供する。特に、交換器１２は無線品質分析装置２００から特定の移動通信端末に対する位置サービス要請を受信すれば、基地局制御器１１に無線品質測定のための位置報告制御メッセージを伝送する。すなわち、無線品質測定方法として位置サービス（ＬＣＳ：Ｌｏｃａｔｉｏｎ Ｓｅｒｖｉｃｅ）を利用することで、基地局制御器１１は交換器１２から無線品質測定のための位置報告制御メッセージを受信すれば、一般的な位置データ以外の無線網品質測定のためのデータを別途で収集して運用サーバー１３に伝送する。
【００２１】
運用サーバー（Ｏ＆Ｍサーバー）１３は、基地局１０と基地局制御器１１とを管理し、無線品質分析装置２００の要請に応じて無線網で発生する無線品質測定データを収集する。望ましくは、基地局制御器１１から無線品質測定データを収集する。また、運用サーバー１３は無線品質分析装置２００から無線品質測定を行うサブセル（ＭＳＣ、ＲＮＣ、ＮｏｄｅＢ、セクター、ＦＡなど）情報を受信し、該当するサブセル情報を基地局制御器１１に伝送する。基地局制御器１１はサブセルに属した何れか一つの移動通信端末が呼設定した場合、該当する移動通信端末に無線品質測定制御メッセージを伝送してそれに応じた無線品質測定報告メッセージを受信する。基地局制御器１１はその受信された無線品質測定報告メッセージから無線品質測定のためのデータを抽出し運用サーバー１３に伝送する。無線網で発生するすべての測定データを運用サーバー１３で収集すれば無線網と運用サーバー１３とに過負荷を発生させる恐れがある。従って、このような問題を解決するために無線品質データの収集可能な範囲を選択するのである。しかし、本発明は必ずしもこれに限定されないことを明らかにしておく。
【００２２】
ゲートウェイ移動位置センター１４は、位置基盤サービスに関わって交換器１２、ＳＧＳＮなどと連動して位置の要請、収集、貯蔵、伝達などの機能を行う。
【００２３】
ホーム位置登録器１５は、移動通信端末の位置情報登録、削除機能を行う。またホーム位置登録器１５は移動通信端末のプロファイル情報を貯蔵する。プロファイル情報は、移動通信端末の識別番号、加入付加サービス情報を含む。
【００２４】
無線品質分析装置２００は、位置サービス（ＬＣＳ）を利用して無線品質測定データを収集する。この場合、ゲートウェイ移動位置センター１４及び交換器１２と連動して基地局制御器１１が無線品質測定データを収集し運用サーバー１３に伝送するようにする。また多数の運用サーバー１３に無線品質測定データの収集を要請する。このように収集されたデータを運用サーバー１３から受信し全体的な無線網の品質を分析する。そして、分析結果をＧＵＩ（Ｇｒａｐｈｉｃ Ｕｓｅｒ Ｉｎｔｅｒｆａｃｅ）を通じて出力する。
【００２５】
無線品質分析装置２００は実施形態に応じて運用サーバー１３に含まれた形態で具現され得、図１に示した実施例のように独立した装置で具現されることもできる。以下、請求の範囲において無線品質分析サーバーは、図１の無線品質分析装置２００及び運用サーバー１３を含むものとして理解すべきである。望ましくは、無線品質分析装置２００を運用サーバー１３に独立して具現し、すべての運用サーバー１３に貯蔵された無線品質データを無線品質分析装置２００が周期的に要請して収集した後分析しＧＵＩに表示する。
【００２６】
図２は、本発明の望ましい一実施例による同期ＣＤＭＡ無線網品質測定システムのネットワーク構成を示した図面である。
【００２７】
図２に示すように、同期ＣＤＭＡ無線網品質測定システムは、基地局（ＢＴＳ）８０、基地局制御器（ＢＳＣ）８１、交換器（ＭＳＣ）８２、運用サーバー（Ｏ＆Ｍサーバー：Ｏｐｅｒａｔｉｏｎ ａｎｄ Ｍａｎａｇｅｍｅｎｔ）８３及び無線品質分析装置４００を含む。
【００２８】
基地局８０は、無線信号送受信、システム同期（ＧＰＳ）、無線チャンネル符号化及び復号化、ベースバンド信呼処理、ダイバーシティ（空間）、無線資源管理及び自体維持補修機能を行う。基地局制御器８１は、基地局８０との整合、セル間ハンドオーバー処理、呼制御などの機能を行い、一つの基地局制御器８１は数個の基地局８０を制御する。
【００２９】
特に、基地局制御器８１は、無線品質分析装置４００の制御に応じて遊休状態の移動通信端末に位置登録命令メッセージを伝送し、これに対する応答を受信する。基地局制御器８１は基地局８０から受信された応答から無線品質測定のためのデータを抽出し運用サーバー８３に伝送する。
【００３０】
また、基地局制御器８１は運用サーバー８３の制御に応じてトラフィック状態（すなわち、呼設定状態、例えば、音声通話、ＳＭＳなど）の移動通信端末に無線品質測定要求メッセージを伝送しこれに対する無線品質測定応答メッセージを一回または周期的に受信することができる。基地局制御器８１は無線品質測定応答メッセージから無線品質測定のためのデータを抽出し、基地局８０から伝送されたＲＴＤ情報とともに運用サーバー８３に伝送する。
【００３１】
望ましくは、基地局制御器８１は無線品質測定を行うサブセル情報（ＭＳＣ範囲、ＢＴＳ範囲、ＦＡ範囲など）を運用サーバー８３から受信し、該当するサブセルで呼設定される場合、呼設定された移動通信端末に無線品質測定要求メッセージを伝送しこれに対する応答を受信することができる。
【００３２】
交換器８２は、基地局制御器８１とのインターフェース機能を提供し、移動通信加入者相互間の交換、移動通信加入者とＰＳＴＮ、ＩＳＤＮなどの固定網加入者との交換機能（連動機能）を提供する。特に、遊休状態の移動通信端末を利用した無線品質測定の場合、交換器８２は遊休状態の移動通信端末に対する位置登録命令を無線品質分析装置４００から受信し、それによる位置登録命令を該当する移動通信端末が位置する基地局制御器８１に伝送する。そして、交換器８２は基地局制御器８１を通じて移動通信端末の位置登録要請を受信しホーム位置登録器に登録する。
【００３３】
運用サーバー（Ｏ＆Ｍサーバー）８３は、基地局８０と基地局制御器８１とを管理し、無線品質分析装置４００の要請に応じて無線網で発生する無線品質測定データを収集する。望ましくは、基地局制御器８１から無線品質測定データを収集する。また、運用サーバー８３は無線品質分析装置４００から無線品質測定を行うサブセル（ＭＳＣ、ＢＳＣ、ＢＴＳ、ＦＡなど）情報を受信し、該当するサブセル情報を基地局制御器８１に伝送する。無線網で発生するすべての測定データを運用サーバー８３で収集すれば無線網と運用サーバー８３とに過負荷を発生させる恐れがある。従って、このような問題を解決するために無線品質データの収集可能な範囲を選択するのである。しかし、本発明は必ずしもこれに限定されないことを明らかにしておく。
【００３４】
無線品質分析装置４００は、多数の運用サーバー（Ｏ＆Ｍサーバー）８３に無線品質測定データの収集を要請し、収集されたデータを利用して全体的な無線網の品質を分析する。そして、分析結果をＧＵＩを通じて出力する。無線品質分析装置４００は遊休状態の移動通信端末を利用して無線網の品質を分析する場合、交換器８２を通じて遊休状態の移動通信端末を活性化させ、活性化された移動通信端末から受信された無線品質測定データを運用サーバー８３から収集して分析する。一方、トラフィック状態の移動通信端末を利用して無線網の品質を分析する場合、無線品質分析装置４００は運用サーバー８３を通じて移動通信端末から無線品質測定データを収集して分析する。
【００３５】
無線品質分析装置４００は実施形態に応じて運用サーバー（Ｏ＆Ｍサーバー）８３に含まれた形態で具現され得、図２に示した実施例のように独立した装置で具現されることもできる。以下、請求の範囲において無線品質分析サーバーは、図２の無線品質分析装置４００及び運用サーバー８３を含むものとして理解すべきである。望ましくは、無線品質分析装置４００を運用サーバー８３に独立して具現し、すべての運用サーバー８３に貯蔵された無線品質データを無線品質分析装置４００が周期的に要請して収集した後分析しＧＵＩに表示する。
【００３６】
以下、本発明による無線網品質測定システムにおいて無線網品質を測定する方法を図面を参照しながら具体的に説明する。
【００３７】
図３は、本発明の一実施例による非同期ＷＣＤＭＡ無線網品質測定方法を説明する流れ図であって、位置サービス（ＬＣＳ：Ｌｏｃａｔｉｏｎ Ｓｅｒｖｉｃｅ）に基づいて遊休状態の移動通信端末を活性化させ無線網品質を測定する方法を示す。
【００３８】
図３に示すように、まず無線品質分析装置２００は、特定の移動通信端末を利用して無線網の品質を測定するため、交換器１２に上記移動通信端末の位置情報を要請する（Ｓ２０１）。このとき、交換器１２に伝送される位置情報要請には該当する位置情報要請が無線品質測定のためのものであることを示す識別情報（例えば、Ｃｌｉｅｎｔ ｔｙｐｅ＝ＰＬＭＮ Ｏｐｅｒａｔｏｒ）を含む。ここで無線品質分析装置２００は交換器１２に位置情報を要請するため、ゲートウェイ移動位置センター（ＧＭＬＣ）１４を利用することができる。無線品質分析装置２００が特定の移動通信端末に対する位置測定要請をゲートウェイ移動位置センター（ＧＭＬＣ）１４に伝送すれば、ゲートウェイ移動位置センター１４はホーム位置登録器１５に移動通信端末の位置を問い合わせそれによる交換器１２の位置情報を受信する。そうすれば、ゲートウェイ移動位置センター（ＧＭＬＣ）１４は交換器１２に移動通信端末の位置情報を要請する。
【００３９】
このように、特定の移動通信端末に対する位置情報要請を受信した交換器１２は、基地局制御器（ＲＮＣ）及び基地局（ＮｏｄｅＢ）を経由して移動通信端末と呼を設定する（Ｓ２０３）。それから、交換器１２は呼設定された移動通信端末に位置サービス通知（ＬＣＳ Ｌｏｃａｔｉｏｎ Ｎｏｔｉｆｉｃａｔｉｏｎ Ｉｎｖｏｋｅ）メッセージを伝送しそれに応じた応答（ＬＣＳ Ｌｏｃａｔｉｏｎ Ｎｏｔｉｆｉｃａｔｉｏｎ Ｒｅｔｕｒｎ Ｒｅｓｕｌｔ）を受信する（Ｓ２０５）。
【００４０】
このように移動通信端末を遊休状態から活性化状態に遷移させた後、交換器１２は基地局制御器１１に位置報告制御（Ｌｏｃａｔｉｏｎ Ｒｅｐｏｒｔｉｎｇ Ｃｏｎｔｒｏｌ）メッセージを伝送する（Ｓ２０７）。このとき、位置報告制御メッセージは該当する位置報告制御メッセージが無線品質測定のためのものであることを示す識別情報（例えば、Ｃｌｉｅｎｔ ｔｙｐｅ＝ＰＬＭＮ Ｏｐｅｒａｔｏｒ）を含む。
【００４１】
位置報告制御メッセージを受信した基地局制御器１１は、無線品質測定のための測定制御（ＭＣ：Ｍｅａｓｕｒｅｍｅｎｔ Ｃｏｎｔｒｏｌ）メッセージを移動通信端末に伝送し（Ｓ２０９）、それに応じた測定報告（ＭＲ：Ｍｅａｓｕｒｅｍｅｎｔ Ｒｅｐｏｒｔ）メッセージを移動通信端末から受信する（Ｓ２１１）。移動通信端末から受信される測定報告（ＭＲ）メッセージには、ＣＰＩＣＨ ＲＳＣＰ、ＣＰＩＣＨ Ｅｃ／Ｉｏ、ＢＬＥＲ、端末送信電力、端末送受信時間差などを含む。測定報告（ＭＲ）メッセージを受信した基地局制御器１１は測定命令解除のための測定制御（ＭＣ）メッセージを移動通信端末に伝送する（Ｓ２１３）。ここで、測定制御（ＭＣ）メッセージは非同期ＷＣＤＭＡ ＲＣＣ（Ｒａｄｉｏ Ｒｅｓｏｕｒｃｅ Ｃｏｎｔｒｏｌ）（３ＧＰＰ ＴＳ ２５.３３１）に定義されたメッセージとして図１７に示したようなフィールドを含んでいる。また、測定報告（ＭＲ）メッセージは図１８に示したようなフィールドを含んでいる。
【００４２】
一方、基地局制御器１１は無線品質測定以外の基本的な位置サービス呼処理のため、移動通信端末とＲＲＣプロトコルとによる呼処理プロセスを行って移動通信端末の経／緯度情報を獲得することができる（Ｓ２１５）。また基地局制御器１１は基地局１０とＮＢＡＰプロトコルによる呼処理プロセスを行って活性化端末（Ａｃｔｉｖｅ Ｓｅｔ）のＲＴＴ（Ｒｏｕｎｄ Ｔｒｉｐ Ｔｉｍｅ）を獲得する（Ｓ２１７）。
【００４３】
このように、無線品質測定のために収集したデータ及び基本的な位置サービス呼処理過程で獲得した情報を利用して、基地局制御器１１は無線品質測定結果メッセージを生成し運用サーバー１３に伝送する（Ｓ２１９）。運用サーバー１３は基地局制御器１１から受信された無線品質測定結果メッセージをリアルタイムで無線品質分析装置２００に伝送する（Ｓ２２１）。無線品質分析装置２００は運用サーバー１３から受信された無線品質測定結果メッセージに基づいて上記特定の移動通信端末が位置する地域の無線品質を分析する。ここで、無線品質測定結果メッセージの例は図１９を参照しながら後述する。
【００４４】
一方、基地局制御器１１は無線品質測定とは別途で上記ステップＳ２１５及びＳ２１７で獲得したセルＩＤ、ＲＴＴあるいは経／緯度情報に基づいて移動通信端末の位置を推定し、それによる結果を交換器１２に伝送する（Ｓ２２３）。交換器１２は、基地局制御器１１から伝送された移動通信端末の位置情報を無線品質分析装置２００に伝送する（Ｓ２２５）。
【００４５】
図４は、本発明の一実施例に従って図３の測定制御及び報告過程（Ｓ２０９、Ｓ２１１）の詳細なプロセスを示した図面である。
【００４６】
図４に示すように、基地局制御器１１は無線品質測定データの種別に測定制御（ＭＣ）メッセージを区分し移動通信端末に伝送する。すなわち、ＲＳＣＰ及びＥｃ／Ｉｏを収集するための第１測定制御（ＭＣ）メッセージを伝送し（Ｓ２０９‐１）、移動通信端末の送信電力（Ｔｘ‐Ｐｏｗｅｒ）及び送受信時間差（Ｔｘ‐ＲＸ Ｔｉｍｅ Ｄｉｆｆｅｒｅｎｃｅ）を収集するための第２測定制御（ＭＣ）メッセージを伝送し（Ｓ２０９‐２）、ＢＬＥＲを収集するための第３測定制御（ＭＣ）メッセージを伝送する（Ｓ２０９‐３）。ここで、測定制御（ＭＣ）メッセージは非同期ＷＣＤＭＡ ＲＣＣ（Ｒａｄｉｏ Ｒｅｓｏｕｒｃｅ Ｃｏｎｔｒｏｌ）（３ＧＰＰ ＴＳ ２５.３３１）に定義されたメッセージであって図９に示したようなフィールドを含んでいる。
【００４７】
このとき、基地局制御器１１は第１・第２測定制御（ＭＣ）メッセージに測定報告（ＭＲ）受信拒否（Ｎｏ Ｒｅｐｏｒｔ）を付加する。これによって移動通信端末は第１・第２測定制御（ＭＣ）メッセージによる測定報告（ＭＲ）メッセージを別途で伝送せず、第３測定制御（ＭＣ）メッセージによる測定報告（ＭＲ）メッセージを伝送するとき第１・第２測定制御（ＭＣ）メッセージによる情報をともに付加する（Ｓ２１１）。これによって、無線資源占有を減らすことができるたけでなく、移動通信端末及び基地局制御器１１の負荷をも減らすことができる。もちろん、実施形態に応じて第１・第２測定制御（ＭＣ）メッセージを受信する度に測定報告（ＭＲ）メッセージを伝送することができる。一方、測定報告（ＭＲ）メッセージは図１８に示したようなフィールドを含んでいる。
【００４８】
図５は、本発明の一実施例による同期ＣＤＭＡ無線網品質測定方法を説明する流れ図であって、遊休状態の移動通信端末を利用して無線網品質を測定する方法である。これは、位置サービス（ＬＣＳ：Ｌｏｃａｔｉｏｎ Ｓｅｒｖｉｃｅ）に基づく。
【００４９】
図５に示すように、まず無線品質分析装置４００は、遊休状態の移動通信端末（ＭＳ）を活性化させるため、交換器８２に上記遊休状態の移動通信端末に対する位置登録命令（Ｏｒｄｅｒｅｄ Ｒｅｇｉｓｔｒａｔｉｏｎ）を伝送する（Ｓ９０１）。
【００５０】
無線品質分析装置４００から位置登録命令を受信した交換器８２は、位置登録要求命令メッセージ（Ｒｅｇｉｓｔｒａｔｉｏｎ Ｒｅｑｕｅｓｔ Ｏｒｄｅｒ Ｍｅｓｓａｇｅ）を基地局制御器８１に伝送し（Ｓ９０３）、基地局制御器８１は遊休状態の移動通信端末に位置登録命令（Ｏｒｄｅｒｅｄ Ｒｅｇｉｓｔｒａｔｉｏｎ）を伝送する（Ｓ９０５）。
【００５１】
位置登録命令を受信した移動通信端末は位置登録メッセージ（Ｒｅｇｉｓｔｒａｔｉｏｎ Ｍｅｓｓａｇｅ）を上記基地局制御器８１に伝送し（Ｓ９０７）、基地局制御器８１は交換器８２に位置アップデート要求メッセージ（Ｌｏｃａｔｉｏｎ Ｕｐｄａｔｅ Ｒｅｑｕｅｓｔ Ｍｅｓｓａｇｅ）を伝送する（Ｓ９０９）。交換器８２はホーム位置登録器に移動通信端末の位置情報をアップデートする。
【００５２】
一方、移動通信端末から位置登録メッセージを受信した基地局制御器８１は、移動通信端末から受信した位置登録メッセージから無線品質測定データ（例えば、Ｅｃ／Ｉｏ、ＰＮ＿Ｐｈａｓｅ）を抽出し無線品質測定結果メッセージを生成して運用サーバー８３に伝送する（Ｓ９１１）。
【００５３】
運用サーバー８３は、基地局制御器８１から受信した無線品質測定結果メッセージをリアルタイムで無線品質分析装置４００に伝送する（Ｓ９１３）。無線品質分析装置４００は無線品質測定結果メッセージを分析して無線網の無線品質を算出して表示する。
【００５４】
代案として、上記ステップＳ９１１において基地局制御器８１は無線品質測定結果メッセージを生成せず、移動通信端末から受信した位置登録メッセージを直ちに運用サーバー８３に伝送し、運用サーバー８３が無線品質測定結果メッセージを生成するようにすることができる。
【００５５】
図５を参照した本発明の無線品質測定方法によれば、無線網の無線品質測定が必要なとき、管理者の命令に従って一回的に無線網の無線品質を測定することができる。
【００５６】
図６は、本発明の他の実施例による非同期ＷＣＤＭＡ無線網品質測定方法を説明する流れ図であって、位置サービス（ＬＣＳ：Ｌｏｃａｔｉｏｎ Ｓｅｒｖｉｃｅ）に基づいてトラフィック状態の移動通信端末を利用して無線網品質を測定する方法を示す。ここで、図３と同一の参照符号を持つステップは同一の動作を行う過程であるので、その詳細な説明は略し相違点のみ説明する。
【００５７】
図３においては、遊休状態の移動通信端末を活性化させるステップ（Ｓ２０３）を含んだが、図６においては、交換器１２、基地局制御器１１、基地局１０及び移動通信端末は連結状態（ＣＥＬＬ‐ＤＣＨ）を維持して図３のような移動通信端末を活性化させる過程が不要である。
【００５８】
図６に示すように、交換器１２は、トラフィック状態の特定の移動通信端末に対する位置情報要請を受信すれば、直ちに該当する移動通信端末に位置サービス通知（ＬＣＳ Ｌｏｃａｔｉｏｎ Ｎｏｔｉｆｉｃａｔｉｏｎ Ｉｎｖｏｋｅ）メッセージを伝送しそれに応じた応答（ＬＣＳ Ｌｏｃａｔｉｏｎ Ｎｏｔｉｆｉｃａｔｉｏｎ Ｒｅｔｕｒｎ Ｒｅｓｕｌｔ）を受信する（Ｓ２０５）。そして、図３に示した後続呼処理プロセスを行う。図６の測定制御及び報告過程（Ｓ２０９、Ｓ２１１）は図４を参照しながら説明したように、無線品質測定データの種別に測定制御（ＭＣ）メッセージを区分し移動通信端末に伝送できる。
【００５９】
図７は、本発明の他の実施例による同期ＣＤＭＡ無線網品質測定方法を説明する流れ図であって、トラフィック状態の移動通信端末を利用して無線網品質を測定する方法である。
【００６０】
図７に示すように、まず、無線品質分析装置４００は、トラフィック状態の移動通信端末を利用して無線網の品質を測定するため、運用サーバー８３に無線品質測定要求命令を伝送する（Ｓ１００１）。このとき、無線品質測定要求命令には無線品質測定周期が設定される。運用サーバー８３は基地局制御器８１に無線品質測定要求命令を伝送する（Ｓ１００３）。
【００６１】
運用サーバー８３から無線品質測定要求命令を受信した基地局制御器８１は、トラフィック状態の移動通信端末が位置する基地局８０に周期的パイロット測定命令（ＰＰＭＲＯ：Ｐｅｒｉｏｄｉｃ Ｐｉｌｏｔ Ｍｅａｓｕｒｅｍｅｎｔ Ｒｅｐｏｒｔ Ｏｒｄｅｒ）メッセージを伝送する（Ｓ１００５）。そして、基地局８０はトラフィック状態の移動通信端末に周期的パイロット測定命令（ＰＰＭＲＯ）メッセージを伝送する（Ｓ１００７）。ここで、周期的パイロット測定命令メッセージには無線品質測定周期が設定され得（例、ＯＲＤＱ：ＯｘＦＡ）、または一回性を示すコードを設定することができる（例、ＯＲＤＱ：ＯｘＦＦ）。
【００６２】
周期的パイロット測定命令メッセージを受信した移動通信端末は周期的パイロット強度測定メッセージ（ＰＰＳＭＭ：Ｐｅｒｉｏｄｉｃ Ｐｉｌｏｔ Ｓｔｒｅｎｇｔｈ Ｍｅａｓｕｒｅｍｅｎｔ Ｍｓｇ）を基地局８０を経由して基地局制御器８１に伝送する（Ｓ１００９）。ここで、周期的パイロット強度測定メッセージ（ＰＰＳＭＭ）は、パイロット強度（ＰＩＬＯＴ＿ＳＴＲＥＭＧＴＨ）フィールド、ＰＮ位相（ＰＮ＿Ｐｈａｓｅ）フィールド、ＰＮ強度（ＰＮ Ｓｔｒｅｎｇｔｈ、Ｅｃ／Ｉｏ）フィールド及び受信電界強度（ＲＳＳＩ）値を示すＳＦ＿ＲＸ＿ＰＷＲフィールドを含む。
【００６３】
周期的パイロット強度測定メッセージ（ＰＰＳＭＭ）を受信した基地局制御器８１は上記周期的パイロット強度測定メッセージ（ＰＰＳＭＭ）内の無線品質測定情報を抽出し（例えば、ＳＦ＿ＲＸ＿ＰＷＲ、Ｅｃ／Ｉｏ、ＰＮ＿Ｐｈａｓｅなど）、その抽出した無線品質測定情報と、基地局８０から周期的に受信されるＲＴＤ（Ｒｏｕｎｄ Ｔｒｉｐ Ｄｅｌａｙ）のうち最も最近のＲＴＤ情報を総合して無線品質測定結果メッセージを生成し運用サーバー８３に伝送する（Ｓ１０１１）。
【００６４】
運用サーバー８３は、基地局制御器８１から受信した無線品質測定結果メッセージをリアルタイムで無線品質分析装置４００に伝送する（Ｓ１０１３）。無線品質分析装置４００は無線品質測定結果メッセージを分析して無線網の無線品質を算出して表示する。
【００６５】
代案として、上記ステップＳ１０１１において基地局制御器８１は無線品質測定結果メッセージを生成せず、移動通信端末から受信した周期的パイロット強度測定メッセージ（ＰＰＳＭＭ）とＲＴＤ情報とを直ちに運用サーバー８３に伝送し、運用サーバー８３が無線品質測定結果メッセージを生成するようにすることができる。
【００６６】
一方、トラフィック状態の移動通信端末は上記ステップＳ１００７において基地局８０から受信した周期的パイロット測定命令（ＰＰＭＲＯ：Ｐｅｒｉｏｄｉｃ Ｐｉｌｏｔ Ｍｅａｓｕｒｅｍｅｎｔ Ｒｅｐｏｒｔ Ｏｒｄｅｒ）メッセージ内に無線品質測定周期が設定された場合、その設定された周期に応じて周期的パイロット強度測定メッセージ（ＰＰＳＭＭ）を基地局制御器８１に伝送する。基地局制御器８１は周期的に受信される周期的パイロット強度測定メッセージ（ＰＰＳＭＭ）内の無線品質測定情報を抽出し、その抽出した品質測定情報と基地局８０から周期的に受信されるＲＴＤのうち最も最近のＲＴＤ情報を総合して再び無線品質測定結果メッセージを生成して運用サーバー８３に伝送する。運用サーバー８３はリアルタイムまたは所定周期で無線品質測定結果メッセージを無線品質分析装置４００に伝送する。
【００６７】
また、図７を参照した本発明の無線品質測定方法において、運用サーバー８３から無線品質測定要求命令を受信した基地局制御器８１は、トラフィック状態の移動通信端末が位置する基地局８０にパイロット測定命令（ＰＭＲＯ：Ｐｉｌｏｔ Ｍｅａｓｕｒｅｍｅｎｔ Ｒｅｐｏｒｔ Ｏｒｄｅｒ）メッセージを伝送することができ、この場合移動通信端末はパイロット強度測定メッセージ（ＰＳＭＭ：Ｐｉｌｏｔ Ｓｔｒｅｎｇｔｈ Ｍｅａｓｕｒｅｍｅｎｔ Ｍｓｇ）を基地局制御器８１に伝送する。ところが、周期的パイロット強度測定メッセージ（ＰＰＳＭＭ）は、パイロット強度測定メッセージ（ＰＳＭＭ）とは異なり、受信電界強度（ＲＳＳＩ）値を示すＳＦ＿ＲＸ＿ＰＷＲフィールドをさらに含むので、基地局制御器８１は移動通信端末に周期的パイロット測定命令（ＰＰＭＲＯ）メッセージを伝送することが望ましい。
【００６８】
図７を参照した本発明の無線品質測定方法によれば、無線網の無線品質測定が必要なとき、管理者の命令に従って一回的にまたは周期的に無線網の無線品質を測定することができる。
【００６９】
図８は、本発明のさらに他の実施例による非同期ＷＣＤＭＡ無線網品質測定方法を説明する流れ図である。
【００７０】
図８に示すように、まず、無線品質分析装置２００は、運用サーバー１３を通じてデータを収集する範囲（セル）を設定する（Ｓ５０１、Ｓ５０３）。すなわち、無線品質分析装置２００は運用サーバー１３を通じて無線品質測定データを収集するサブセル（ＭＳＣ、ＲＮＣ、ＮｏｄｅＢ、ＳＥＣ、ＦＡ）の活性化を制御する。
【００７１】
このように設定された範囲で何れか一つの移動通信端末が呼設定した場合、該当する移動通信端末を管理する基地局制御器１１は基地局１０を経由して該当する移動通信端末に測定制御メッセージ（ＭＣ）を伝送する（Ｓ５０５〜 Ｓ５０９）。
【００７２】
測定制御（ＭＣ）メッセージを受信した移動通信端末は測定制御メッセージ（ＭＣ）に対する応答として測定報告メッセージ（ＭＲ）を基地局１０に伝送し（Ｓ５１１）、これは基地局制御器１１に伝送される（Ｓ５１３）。基地局制御器１１は測定報告メッセージ（ＭＲ）を受信した時点で専用測定初期化要請メッセージ（ＤＭＩＲ：Ｄｅｄｉｃａｔｅｄ Ｍｅａｓｕｒｅｍｅｎｔ Ｉｎｉｔｉａｔｉｏｎ Ｒｅｐｏｒｔ）を移動通信端末がサービス遂行中である基地局に伝送し（Ｓ５１５）、該当する基地局１０は専用測定報告メッセージ（ＤＭＲ：Ｄｅｄｉｃａｔｅｄ Ｍｅａｓｕｒｅｍｅｎｔ Ｒｅｐｏｒｔ）を通じてＲＴＴを基地局制御器１１に伝送する（Ｓ５１７）。
【００７３】
次いで、基地局制御器１１は基地局１０から受信した測定報告メッセージ（ＭＲ）及び専用測定報告メッセージ（ＤＭＲ）を総合して無線品質測定結果メッセージを生成し運用サーバー１３に伝送する（Ｓ５１９）。この過程はリアルタイムでなされ得、メモリブロック単位でもなされ得る。
【００７４】
一方、無線品質分析装置２００は運用サーバー１３から無線品質測定結果メッセージを受信し、その受信された無線品質測定結果メッセージに基づいてサービス領域に対する無線品質を分析する（Ｓ５２１、Ｓ５２３）。そして、その分析結果をグラフィック使用者インターフェース（ＧＵＩ）を通じて出力する。ここで、分析対象は端末の受信品質、すなわち、ＣＰＩＣＨ ＲＳＣＰ、ＣＰＩＣＨ Ｅｃ／Ｉｏ、ＢＬＥＲ、ＵＥ送信電力（Ｔｒａｎｓｍｉｔｔｅｄ Ｐｏｗｅｒ）、ＵＥ送受信時間差（ＲＸ‐Ｔｘ Ｔｉｍｅ Ｄｉｆｆｅｒｅｎｃｅ）などである。
【００７５】
図９は、本発明のさらに他の実施例による同期ＣＤＭＡ無線網品質測定方法を説明する流れ図であって、無線品質分析装置４００により無線品質を測定するサブセルが設定された状態で、何れか一つの移動通信端末がトラフィック状態になるとき無線品質を測定する方法である。
【００７６】
図９に示すように、まず、無線品質分析装置４００は、特定領域の無線品質を自動で測定するため、無線品質を測定するサブセル（ＭＳＣ、ＢＳＣ、ＢＴＳ、ＦＡなど）を設定し、該当するサブセル情報を運用サーバー８３に伝送する（Ｓ１１０１）。すなわち、無線品質を測定するためのデータを収集する範囲を設定するのである。
【００７７】
サブセル情報を受信した運用サーバー８３は該当するサブセルに属する基地局制御器８１に上記サブセル情報を伝送する（Ｓ１１０３）。基地局制御器８１は無線品質分析装置４００によって指定されたサブセルを活性化または非活性化し、活性化されたサブセルで移動通信端末がトラフィック状態になれば無線品質測定を行う。
【００７８】
すなわち、活性化されたサブセルで何れか一つの移動通信端末がトラフィック状態になれば、基地局制御器８１は、基地局８０を経由して移動通信端末に周期的パイロット測定命令（ＰＰＭＲＯ）メッセージを伝送する（Ｓ１１０５）。ここで、周期的パイロット測定命令メッセージには無線品質測定周期が設定される（例、ＯＲＤＱ：ＯｘＦＡ、すなわち、２０ｓｅｃ）。
【００７９】
周期的パイロット測定命令メッセージ（ＰＰＭＲＯ）を受信した移動通信端末は上記周期的パイロット測定命令メッセージ内に設定された周期に応じて周期的パイロット強度測定メッセージ（ＰＰＳＭＭ）を基地局８０を経由して基地局制御器８１に伝送する（Ｓ１１０７）。ここで、周期的パイロット強度測定メッセージ（ＰＰＳＭＭ）は、パイロット強度（ＰＩＬＯＴ＿ＳＴＲＥＭＧＴＨ）フィールド、ＰＮ位相（ＰＮ＿Ｐｈａｓｅ）フィールド、ＰＮ強度（ＰＮ Ｓｔｒｅｎｇｔｈ、Ｅｃ／Ｉｏ）フィールド及び受信電界強度（ＲＳＳＩ）値を示すＳＦ＿ＲＸ＿ＰＷＲフィールドを含む。
【００８０】
周期的パイロット強度測定メッセージ（ＰＰＳＭＭ）を受信した基地局制御器８１は上記周期的パイロット強度測定メッセージ（ＰＰＳＭＭ）内の品質測定情報を抽出し（例えば、ＳＦ＿ＲＸ＿ＰＷＲ、Ｅｃ／Ｉｏ、ＰＮ＿Ｐｈａｓｅなど）、その抽出した品質測定情報と、基地局８０から周期的に受信されるＲＴＤのうち最も最近のＲＴＤ情報とを総合して無線品質測定結果メッセージを生成し運用サーバー８３に伝送する（Ｓ１１０９）。
【００８１】
また、トラフィック状態の移動通信端末は上記ステップＳ１１０５において基地局制御器８１から受信した周期的パイロット測定命令（ＰＰＭＲＯ）メッセージ内の無線品質測定周期に応じて周期的パイロット強度測定メッセージ（ＰＰＳＭＭ）を基地局制御器８１に伝送する（Ｓ１１１１）。そして、基地局制御器８１は上記周期的パイロット強度測定メッセージ（ＰＰＳＭＭ）内の無線品質測定情報を抽出し、その抽出した無線品質測定情報と基地局８０から周期的に受信されるＲＴＤのうち最も最近のＲＴＤ情報とを総合して再び無線品質測定結果メッセージを生成し運用サーバー８３に伝送する（Ｓ１１１３）。
【００８２】
運用サーバー８３は上述したように基地局制御器８１から周期的に受信された無線品質測定結果メッセージを貯蔵しこれを総合して無線品質分析装置４００に伝送する（Ｓ１１１５）。すなわち、運用サーバー８３は無線品質測定結果メッセージを周期的に無線品質分析装置４００に伝送する。望ましくは、ＦＴＰを利用することができる。無線品質分析装置４００は無線品質測定結果メッセージを分析して無線網の無線品質を算出して表示する。
【００８３】
代案として、上記ステップＳ１１０９及びステップＳ１１１３において、基地局制御器８１は無線品質測定結果メッセージを生成せず、移動通信端末から受信した周期的パイロット強度測定メッセージ（ＰＰＳＭＭ）とＲＴＤ 情報を直ちに運用サーバー８３に伝送し、運用サーバー８３が無線品質測定結果メッセージを生成するようにすることができる。
【００８４】
また、上記ステップＳ１１１５においては、運用サーバー８３は基地局制御器８１から周期的に受信された無線品質測定結果メッセージを貯蔵し無線品質分析装置４００に伝送したが、実施形態に応じて運用サーバー８３は基地局制御器８１から無線品質測定結果メッセージを受信する度にリアルタイムで無線品質分析装置４００に伝送することができる。しかし、リアルタイムで無線品質測定結果メッセージを無線品質分析装置４００に伝送すれば運用サーバー８３に負荷が加重されるので、一定周期毎に無線品質測定結果メッセージを総合して伝送することが望ましい。
【００８５】
図９を参照した本発明の無線品質測定方法によれば、予め無線品質測定を行うサブセル範囲を指定してから、該当範囲内の移動通信端末がトラフィック状態になれば自動で無線品質を測定することで、無線品質測定の運用効率を高めることができる。
【００８６】
一方、図９を参照した無線品質測定方法においては、活性化されたサブセルに属した移動通信端末を利用して自動で無線品質測定が行われる間に、無線品質測定装置４００から基地局制御器８１に無線品質測定要求命令が伝送され得る。この場合、基地局制御器８１は自動無線品質測定に関係なく、図７を参照しながら説明したように、移動通信端末に周期を設定しない周期的パイロット測定命令（ＰＰＭＲＯ）メッセージを伝送して周期的パイロット強度測定メッセージ（ＰＰＳＭＭ）を受信する。そして、無線品質測定結果メッセージを生成し運用サーバー８３に伝送する。すなわち、自動無線品質測定がなされる間に一回的な無線品質測定がなされ得る。
【００８７】
図１０は、本発明のさらに他の実施例による非同期ＷＣＭＤＡ無線網品質測定方法を説明する流れ図であって、周期的測定報告メッセージ（Ｐｅｒｉｏｄｉｃ ＭＲ）を発生させて無線品質測定データを収集する実施例である。
【００８８】
図１０には示さないが、図８に示すように、まず、無線品質分析装置２００は、運用サーバー１３を通じてデータを収集する範囲（セル）を設定する（Ｓ５０１、Ｓ５０３）。すなわち、無線品質分析装置２００は運用サーバー１３を通じて無線品質測定データを収集するサブセル（ＭＳＣ、ＲＮＣ、ＮｏｄｅＢ、ＳＥＣ、ＦＡ）の活性化を制御する。
【００８９】
このように設定された範囲で何れか一つの移動通信端末が呼設定した場合、該当する移動通信端末を管理する基地局制御器１１は、基地局１０を経由して該当する移動通信端末に測定制御メッセージ（ＭＣ）を無線品質測定データの種別に区分して伝送する（Ｓ６０１）。すなわち、ＲＳＣＰ及びＥｃ／Ｉｏを収集するための第１測定制御メッセージ（ＭＣ）、ＢＬＥＲを収集するための第２測定制御メッセージ（ＭＣ）、そして、移動通信端末送信電力（ＵＥ Ｔｘ Ｐｏｗｅｒ）及び送受信時間差（ＵＥ ＲＸ‐Ｔｘ Ｔｉｍｅ Ｄｉｆｆｅｒｅｎｃｅ）を収集するための第３測定制御メッセージ（ＭＣ）を種類（Ｍｅａｓｕｒｅｍｅｎｔ Ｉｄｅｎｔｉｔｙ）別に区分して個別的に移動通信端末に伝送する。
【００９０】
このとき、基地局制御器１１は、第１・第２測定制御メッセージ（ＭＣ）に測定報告メッセージ（ＭＲ）受信拒否（Ｎｏ Ｒｅｐｏｒｔ）を設定し、移動通信端末に最後に伝送する第３測定制御メッセージ（ＭＣ）は測定報告メッセージ（ＭＲ）発生周期（ＰＲ：３０ｓｅｃ）、回数（ｉｎｆ）、含まれる測定制御メッセージ（ＭＣ）リスト（ＭＩ＝２、３）を付加する。
【００９１】
このように無線品質測定データの種類に応じた測定制御メッセージ（ＭＣ）を受信した移動通信端末は、第３測定制御メッセージ（ＭＣ）に設定された伝送方式（周期、回数、含まれるリスト）に従って所定時間の間隔で測定報告メッセージ（ＭＲ）を伝送する（Ｓ６０３）。測定報告メッセージ（ＭＲ）には第１・２・３測定制御メッセージ（ＭＣ）による無線品質測定データが含まれる。すなわち、ＲＳＣＰ及びＥｃ／Ｉｏ、ＢＬＥＲ、そして、移動通信端末送信電力（ＵＥ Ｔｘ Ｐｏｗｅｒ）及び送受信時間差（ＵＥ ＲＸ‐Ｔｘ Ｔｉｍｅ Ｄｉｆｆｅｒｅｎｃｅ）を含む。このとき、周期的に測定報告メッセージを報告する間に移動通信端末がハンドオーバーする場合、一回的な測定制御メッセージ（ＭＣ）及び測定報告メッセージ（ＭＲ）の送受信を行ってハンドオーバーを処理することができる。
【００９２】
一方、基地局制御器１１は、測定報告メッセージ（ＭＲ）を受信する時点で移動通信端末がアクティブセット（Ａｃｔｉｖｅ Ｓｅｔ）としてサービスする基地局１０にＤＭＩＲ（Ｄｅｄｉｃａｔｅｄ Ｍｅａｓｕｒｅｍｅｎｔ Ｉｎｉｔｉａｔｉｏｎ Ｒｅｐｏｒｔ）を伝送し（Ｓ６０５）、これを受信した基地局１０はＤＭＲ（Ｄｅｄｉｃａｔｅｄ Ｍｅａｓｕｒｅｍｅｎｔ Ｒｅｐｏｒｔ）にＲＴＴを含めて基地局制御器１１に伝送する（Ｓ６０７）。
【００９３】
そうすれば、基地局制御器１１は移動通信端末から受信した測定報告メッセージ（ＭＲ）に含まれた無線品質測定データとＤＭＲを通じて獲得した内部管理データ（ＲＴＴ）とを総合して無線品質測定結果メッセージを生成し運用サーバー１３に伝送する（Ｓ６０９）。運用サーバー１３は上記収集した無線品質測定結果メッセージをリアルタイムまたは一定時間貯蔵した後ファイル形態で無線品質分析装置２００に伝送する（Ｓ６１１）。
【００９４】
図１１は、本発明のさらに他の実施例による非同期ＷＣＭＤＡ無線網品質測定方法を説明する流れ図であって、周期的測定報告メッセージ（Ｐｅｒｉｏｄｉｃ ＭＲ）を発生させて無線品質測定データを収集する他の実施例である。
【００９５】
図１１に示した無線網品質測定方法は基本的に図１０に示した無線網品質測定方法に類似である。しかし、図１０において基地局制御器１１は、所定周期が設定された測定制御メッセージ（ＭＣ）を移動通信端末に伝送し、移動通信端末は上記測定制御メッセージ（ＭＣ）に設定された周期に応じて測定報告メッセージ（ＭＲ）を基地局制御器１１に伝送する。この場合、トラフィックチャンネルを通じて移動通信端末に対して移動通信サービスはなされるが、上記基準周期内ですべてのトラフィックサービスが終わる場合無線網品質測定データが収集できない場合がある。従って、呼設定直後に無線網品質測定メッセージを受信することができる呼処理が必要な場合がある。
【００９６】
図１１に示すように、活性化されたサブセルで何れか一つの移動通信端末が呼設定した場合、基地局制御器１１は、無線品質測定データの種別に測定制御メッセージ（ＭＣ）を移動通信端末に伝送する（Ｓ７０１）。このとき、移動通信端末に伝送する最後の測定制御メッセージ（ＭＣ）には測定報告メッセージ（ＭＲ）の伝送周期として非常に短い時間（例えば、２５０ｍｓｅｃ）を設定し回数も１回に設定する。従って、移動通信端末は第３測定制御メッセージ（ＭＣ）を受信する直ちに測定報告メッセージ（ＭＲ）を基地局制御器１１に伝送する（Ｓ７０３）。
【００９７】
基地局制御器１１は、測定報告メッセージ（ＭＲ）を受信する時点で移動通信端末がアクティブセットとしてサービスする基地局１０にＤＭＩＲ（Ｄｅｄｉｃａｔｅｄ Ｍｅａｓｕｒｅｍｅｎｔ Ｉｎｉｔｉａｔｉｏｎ Ｒｅｐｏｒｔ）を伝送し（Ｓ７０５）、これを受信した基地局１０はＤＭＲ（Ｄｅｄｉｃａｔｅｄ Ｍｅａｓｕｒｅｍｅｎｔ Ｒｅｐｏｒｔ）にＲＴＴを含めて基地局制御器１１に伝送する（Ｓ７０７）。
【００９８】
そうすれば、基地局制御器１１は移動通信端末から受信した測定報告メッセージ（ＭＲ）に含まれた無線品質測定データとＤＭＲを通じて獲得した内部管理データ（ＲＴＴ）とを総合して無線品質測定結果メッセージを生成し運用サーバー１３に伝送する（Ｓ７０９）。
【００９９】
このように呼設定直後移動通信端末から無線品質測定データを収集した後、基地局制御器１１は周期的に測定報告メッセージ（ＭＲ）を受信するために測定制御メッセージ（ＭＣ）を移動通信端末に伝送する（Ｓ７１１）。ここで、測定制御メッセージ（ＭＣ）には測定報告メッセージ（ＭＲ）を送信する時間周期、回数、含まれる測定制御メッセージリスト情報を含む。このような測定制御メッセージ（ＭＣ）に応じて移動通信端末は所定の周期に測定報告メッセージ（ＭＲ）を基地局制御器１１に伝送する（Ｓ７１３）。
【０１００】
一方、基地局制御器１１は、測定報告メッセージ（ＭＲ）を受信する時点で移動通信端末がアクティブセットとしてサービスする基地局１０にＤＭＩＲを伝送し（Ｓ７１５）、これを受信した基地局１０はＤＭＲにＲＴＴを含めて基地局制御器１１に伝送する（Ｓ７１７）。
【０１０１】
そうすれば、基地局制御器１１は移動通信端末から受信した測定報告メッセージ（ＭＲ）に含まれた無線品質測定データとＤＭＲを通じて獲得した内部管理データ（ＲＴＴ）とを総合して無線品質測定結果メッセージを生成し運用サーバー１３に伝送する（Ｓ７１９）。運用サーバー１３は上記収集した無線品質測定結果メッセージをリアルタイムまたは一定時間貯蔵した後ファイル形態で無線品質分析装置２００に伝送する（Ｓ７２１）。
【０１０２】
図１２は、本発明のさらに他の実施例による同期ＣＤＭＡ無線網品質測定方法を説明する流れ図であって、無線品質分析装置４００によって無線品質を測定するサブセルが設定された状態で、何れか一つの移動通信端末がトラフィック状態になるとき無線品質を測定する他の方法である。ここで、図９と同一の参照符号を持つステップは同一の動作を行う過程であるので、その詳細な説明は略し相違点のみ説明する。
【０１０３】
図９において、基地局制御器８１は所定の周期が設定された周期的パイロット測定命令（ＰＰＭＲＯ）メッセージを移動通信端末に伝送し、移動通信端末は上記周期的パイロット測定命令メッセージ内に設定された周期に応じて周期的パイロット強度測定メッセージ（ＰＰＳＭＭ）を基地局制御器８１に伝送する。この場合、トラフィックチャンネルを通じて移動通信端末に対して移動通信サービスはなされるが、上記基準周期内ですべてのトラフィックサービスが終わる場合無線網品質測定データが収集できない場合がある。従って、呼設定直後に無線網品質測定メッセージを受信することができる呼処理が必要な場合がある。
【０１０４】
図１２に示すように、活性化されたサブセルで何れか一つの移動通信端末がトラフィック状態になれば、基地局制御器８１は、基地局８０を経由して移動通信端末に周期的パイロット測定命令（ＰＰＭＲＯ）メッセージを伝送する（Ｓ１２０１）。ここで、周期的パイロット測定命令メッセージには無線品質測定周期が設定されない（例、ＯＲＤＱ：ＯｘＦＦ）。
【０１０５】
周期的パイロット測定命令メッセージ（ＰＰＭＲＯ）を受信した移動通信端末は周期的パイロット強度測定メッセージ（ＰＰＳＭＭ）を基地局８０を経由して基地局制御器８１に伝送する（Ｓ１２０３）。ここで、周期的パイロット強度測定メッセージ（ＰＰＳＭＭ）は、パイロット強度（ＰＩＬＯＴ＿ＳＴＲＥＭＧＴＨ）フィールド、ＰＮ位相（ＰＮ＿Ｐｈａｓｅ）フィールド、ＰＮ強度（ＰＮ Ｓｔｒｅｎｇｔｈ、Ｅｃ／Ｉｏ）フィールド及び受信電界強度（ＲＳＳＩ）値を示すＳＦ＿ＲＸ＿ＰＷＲフィールドを含む。
【０１０６】
周期的パイロット強度測定メッセージ（ＰＰＳＭＭ）を受信した基地局制御器８１は上記周期的パイロット強度測定メッセージ（ＰＰＳＭＭ）内の無線品質測定情報を抽出し（例えば、ＳＦ＿ＲＸ＿ＰＷＲ、Ｅｃ／Ｉｏ、ＰＮ＿Ｐｈａｓｅなど）、その抽出した無線品質測定情報と、基地局８０から周期的に受信されるＲＴＤのうち最も最近のＲＴＤ情報とを総合して無線品質測定結果メッセージを生成し運用サーバー８３に伝送する（Ｓ１２０５）。
【０１０７】
以後、基地局制御器８１は基地局８０を経由して移動通信端末に周期的パイロット測定命令（ＰＰＭＲＯ）メッセージを伝送する（Ｓ１１０５）。そして、図９に示した後続プロセスを行って無線品質測定データを収集する。
【０１０８】
このような無線網品質測定方法によれば、ＳＭＳ、データなどの短い周期内で終わる呼である場合も無線網品質測定メッセージを受信することができる。
【０１０９】
一方、移動通信システムにおいて移動サービスの連続性のためにはセクターとセクター或いは基地局と基地局間のハンドオーバーを行わなければならない。ハンドオーバーは通話中の移動端末（ｍｏｂｉｌｅ ｓｔａｔｉｏｎ）が該当する基地局サービス地域（ｃｅｌｌ ｂｏｕｎｄａｒｙ）を離れて隣接基地局サービス地域に移動するとき、移動端末が隣接基地局の新しい通話チャンネルに自動同調されて持続的に通話状態が維持されるようにすることを言う。
【０１１０】
このようなハンドオーバーのために一般的には移動端末が自分の測定した無線網品質情報を基地局に伝送する。無線網品質測定は周期的（Ｐｅｒｉｏｄｉｃ）あるいは特定時点（Ｅｖｅｎｔ）でなされる。そうすれば、移動端末から無線網品質情報を受信した基地局１０、８０は基地局制御器１１、８１にこの信号を伝送し、基地局制御器１１、８１は基地局１０、８０を通じて伝送された信号を分析してハンドオーバー遂行可否を決める。そして、決められたメッセージを端末に伝送してハンドオーバープロセスを行う。
【０１１１】
また、移動通信システムにおいては、サービス品質を確保するために電力制御を行う。自分の基地局と隣接基地局との通話容量を最大化し、移動局（端末）のバッテリー寿命延長と均一な通話品質のために電力制御を行う。
【０１１２】
図１３ａは、通話中の移動端末３０がＡ基地局３１のサービス領域から隣接基地局であるＢ基地局３２のサービス領域に移動する状態を示しており、図１３ｂは、このような状態で移動端末３０のパイロット信号強度（Ｅｃ／Ｉｏ）変化を示すグラフである。
【０１１３】
図１３ｂのグラフにおいてＡ基地局３１からＢ基地局３２に移動時Ｅｃ／Ｉｏが特定レベル以上であるか特定レベル以下であるときシステムに測定報告メッセージ（ＷＣＤＭＡの場合）、パイロット強度測定メッセージ（ＰＳＭＭ）（ＣＤＭＡの場合）を伝送する。
以下、図１３ａ及び図１３ｂを参照しながらハンドオーバー過程で送受信されるメッセージを利用した無線品質測定方法を説明する。
【０１１４】
図１４は、本発明の一実施例による非同期ＷＣＤＭＡ網においてイベント測定報告メッセージによるハンドオーバー制御過程を示す図面である。
【０１１５】
図１４は、ＷＣＤＭＡシステムにおいてＢ基地局３２のＥｃ／Ｉｏが既設定されたレベル以上になるとき、移動端末３０がＢ基地局３２を追加（ＡＤＤ）するために測定報告メッセージを無線網側に伝送する。そして、無線網側で移動端末３０からの測定報告メッセージを受信してハンドオーバーを制御する。
【０１１６】
まず、基地局制御器１１は、ハンドオーバー処理のためにＳＩＢ（Ｓｙｓｔｅｍ Ｉｎｆｏｒｍａｔｉｏｎ Ｂｌｏｃｋ）または測定制御メッセージ（ＭＣ：Ｍｅａｓｕｒｅｍｅｎｔ Ｃｏｎｔｒｏｌ Ｍｅｓｓａｇｅ）を移動端末３０に伝送する（Ｓ１４０１）。ここで、測定制御メッセージ（ＭＣ）は非同期ＷＣＤＭＡ ＲＣＣ（Ｒａｄｉｏ Ｒｅｓｏｕｒｃｅ Ｃｏｎｔｒｏｌ）（３ＧＰＰ ＴＳ ２５.３３１）に定義されたメッセージであって図１７に示したようなフィールドを含んでおり、システムで端末を制御するために使われる。
【０１１７】
一方、移動端末３０が通話中の状態でハンドオーバー条件（Ｔ＿Ａｄｄ）が満足されれば無線網側にＢ基地局３２を含ませろという意味の測定報告メッセージ（ＭＲ）をシステム（ＲＡＮ：基地局（ＮｏｄｅＢ）、基地局制御器（ＲＮＣ））に伝送する（Ｓ１４０３）。
【０１１８】
そうすれば、システムは移動端末３０から測定報告メッセージ（ＭＲ）を受信して追加（ＡＤＤ）が要請されたＢ基地局３２がネイバーリストにあるものであるかを確認する。もし、Ｂ基地局３２がネイバーリストに含まれていれば、Ｂ基地局３２の資源を割り当てた後活性化設定アップデート（ＡＳＵ：Ａｃｔｉｖｅ Ｓｅｔ Ｕｐｄａｔｅ）メッセージを移動端末３０に伝送する（Ｓ１４０５）。そして、システムは移動端末３０から受信した測定報告メッセージ（ＭＲ）を運用サーバー１３に伝送する（Ｓ１４０７）。
【０１１９】
システムから活性化設定アップデート（ＡＳＵ：Ａｃｔｉｖｅ Ｓｅｔ Ｕｐｄａｔｅ）メッセージを受信した移動端末３０はＢ基地局３２のチャンネルを獲得した後活性化設定アップデート完了（ＡＳＵＣ：Ａｃｔｉｖｅ Ｓｅｔ Ｕｐｄａｔｅ Ｃｏｍｐｌｅｔｅ）メッセージをシステムに伝送する（Ｓ１４０９）。
【０１２０】
図１５は、非同期ＷＣＤＭＡ網において周期的測定報告メッセージ（ＰＭＲ）による呼処理プロセスを示す図面である。
【０１２１】
まず、基地局制御器１１はハンドオーバー処理のためにＳＩＢ（Ｓｙｓｔｅｍ Ｉｎｆｏｒｍａｔｉｏｎ Ｂｌｏｃｋ）または周期的測定制御メッセージ（ＭＣ[Ｐｅｏｒｉｏｄｉｃ]：Ｐｅｏｒｉｏｄｉｃ Ｍｅａｓｕｒｅｍｅｎｔ Ｃｏｎｔｒｏｌ Ｍｅｓｓａｇｅ）を移動端末３０に伝送する（Ｓ１５００）。
【０１２２】
そうすれば、移動端末３０は既設定された時間に周期的に測定報告メッセージ（Ｍｅａｓｕｒｅｍｅｎｔ Ｒｅｐｏｒｔ Ｍｅｓｓａｇｅ）をシステム（ＲＡＮ：基地局（ＮｏｄｅＢ）、基地局制御器（ＲＮＣ））に伝送し（Ｓ１５０１, Ｓ１５０２, Ｓ１５０３）、システムは移動端末３０から周期的に伝送された測定報告メッセージ（Ｍｅａｓｕｒｅｍｅｎｔ Ｒｅｐｏｒｔ Ｍｅｓｓａｇｅ）を運用サーバー１３に伝送する（Ｓ１５０４, Ｓ１５０５, Ｓ１５０６）。
【０１２３】
そうする間、システムが臨界条件以上の測定報告メッセージ（Ｍｅａｓｕｒｅｍｅｎｔ Ｒｅｐｏｒｔ Ｍｅｓｓａｇｅ）を受信すれば、活性化設定アップデート（ＡＳＵ：Ａｃｔｉｖｅ Ｓｅｔ Ｕｐｄａｔｅ）メッセージを移動端末３０に伝送し（Ｓ１５０７）、移動端末３０はハンドオーバー処理を完了した後活性化設定アップデート完了（ＡＳＵＣ：Ａｃｔｉｖｅ Ｓｅｔ Ｕｐｄａｔｅ Ｃｏｍｐｌｅｔｅ）メッセージをシステムに伝送する（Ｓ１５０８）。
【０１２４】
図１６は、本発明の一実施例による同期ＣＤＭＡ網においてパイロット強度測定メッセージ（ＰＳＭＭ）を利用してハンドオーバーを制御する過程を示した図面である。
【０１２５】
図１６は、Ｂ基地局３２のＥｃ／Ｉｏが既設定されたレベル以上になるとき、移動端末３０がＢ基地局３２を追加（ＡＤＤ）させるためにパイロット強度測定メッセージ（ＰＳＭＭ）を無線網側に伝送し、無線網側においては移動端末３０からパイロット強度測定メッセージ（ＰＳＭＭ）を受信してハンドオーバーを制御する。
【０１２６】
まず、移動端末３０が通話中の状態でハンドオーバー条件（Ｔ＿Ａｄｄ）が満足されることによって無線網側にＢ基地局３２を含ませろという意味のパイロット強度測定メッセージ（ＰＳＭＭ）を伝送する。すなわち、基地局制御器（ＢＳＣ）を含む基地局システム（ＢＳＳ：Ｂａｓｅ Ｓｔａｔｉｏｎ Ｓｙｓｔｅｍ）に伝送する（Ｓ１６０１）。
【０１２７】
そうすれば、基地局システム（ＢＳＳ）は移動端末３０から追加（ＡＤＤ）が要請されたＢ基地局３２がネイバーリストにあるかを確認する。もし、Ｂ基地局３２がネイバーリストに含まれていれば Ｂ基地局３２の資源を割り当てた後ハンドオーバー指示メッセージ（ＨＤＭ：Ｈａｎｄｏｖｅｒ Ｄｉｒｅｃｔｉｏｎ Ｍｓｇ）を移動端末３０に伝送する（Ｓ１６０３）。そして、基地局システムは移動端末３０から受信したパイロット強度測定メッセージ（ＰＳＭＭ）から無線品質測定のためのデータを抽出して無線品質測定結果メッセージを生成し運用サーバー（Ｏ＆Ｍサーバー）８３に伝送する（Ｓ１６０５）。運用サーバー８３は上記受信された無線品質測定結果メッセージを無線品質分析装置４００に伝送し、無線品質分析装置４００は無線品質測定結果メッセージを分析して該当する移動端末３０が位置した地域の無線品質を測定する。
【０１２８】
基地局システムからハンドオーバー指示メッセージ（ＨＤＭ）を受信した移動端末３０はＢ基地局３２のチャンネルを獲得した後ハンドオーバー完了メッセージ（ＨＣＭ：Ｈａｎｄｏｖｅｒ Ｃｏｍｐｌｅｔｉｏｎ Ｍｓｇ）を基地局システムに伝送する（Ｓ１６０７）。
【０１２９】
図１９は、本発明の一実施例によるＷＣＤＭＡシステムにおける無線品質測定結果メッセージを示す図面である。
【０１３０】
図１９に示すように、ＷＣＤＭＡシステムにおける無線品質測定結果メッセージはメッセージの種類を示すメッセージ識別子（Ｍｓｇ ＩＤ）フィールド、各作業（ｊｏｂ）で発生するメッセージの一連番号を示す一連番号識別子（Ｓｅｑ ＩＤ）フィールド、メッセージ発生時点を示す時間（Ｔｉｍｅ）フィールド、端末を唯一に区分する端末識別子（Ｍｏｂｉｌｅ ＩＤ）、端末サービス周波数を示すＦＡフィールド、参照ＰＳＣを示すＲＥＦ＿ＰＳＣフィールド、測定されたＰＳＣ数を示すＮｕｍｂｅｒ ｏｆ ＰＳＣフィールド、システムが持つＭＳＣ番号を示すＭＳＣフィールド、システムが持つ基地局制御器番号を示すＲＮＣフィールド、システムが持つ基地局番号を示すＮｏｄｅＢフィールド、システムが持つセクター番号を示すＳＥＣフィールド、システムが持っているＰＳＣを示すＰＳＣフィールド、端末から獲得した受信品質を貯蔵するための共同パイロットチャンネル（ＣＰＩＣＨ：Ｃｏｍｍｏｎ Ｐｉｌｏｔ Ｃｈａｎｎｅｌ）受信信号コード強さ（ｒｅｃｅｉｖｅｄ Ｓｉｇｎａｌ Ｃｏｄｅ Ｐｏｗｅｒ）フィールド、共同パイロットチャンネル（ＣＰＩＣＨ：Ｃｏｍｍｏｎ Ｐｉｌｏｔ Ｃｈａｎｎｅｌ）Ｅｃ／Ｉｃフィールド、ＢＬＥＲ（Ｂｌｏｃｋ Ｅｒｒｏｒ Ｒａｔｅ）フィールド、ＵＥ Ｔｒａｎｓｍｉｔｔｅｄ Ｐｏｗｅｒフィールド、ＵＥ ＲＸ‐Ｔｘ Ｔｉｍｅ Ｄｉｆｆｅｒｅｎｃｅフィールド及びＲＴＴフィールドを含む。
【０１３１】
図２０は、本発明の一実施例による非同期ＷＣＤＭＡ無線網の無線品質分析装置の構成図である。
【０１３２】
図２０に示すように、本発明による無線品質分析装置２００は、データ収集設定部２１、データ収集部２２、無線品質分析部２３、及び分析結果出力部２４を含む。
【０１３３】
データ収集設定部２１は、運用サーバー１３を制御して無線品質測定データを収集する交換器（ＭＳＣ）１２、基地局制御器（ＲＮＣ）１１、基地局（ＮｏｄｅＢ）１０、セクター、及び周波数割り当て（ＦＡ：Ｆｒｅｑｕｅｎｃｙ Ａｓｓｉｇｎｍｅｎｔ）を設定して活性化する。
【０１３４】
無線品質分析装置２００が無線網で発生するすべての無線品質測定データを収集すれば過負荷を発生させる恐れもある。このような問題を防止するためにデータ収集設定部２１は無線品質測定メッセージを収集する範囲を選択できるようにする。
【０１３５】
すなわち、データ収集設定部２１は無線品質測定データを収集する交換器１２、基地局制御器１１、基地局１１、セクター及び周波数割り当て（ＦＡ：Ｆｒｅｑｕｅｎｃｙ Ａｓｓｉｇｎｍｅｎｔ）を活性化し、活性化されたサブセルで呼が設定される場合に基地局制御器（ＲＮＣ）１１で移動通信端末に測定報告メッセージ（ＭＲ Ｍｅｓｓａｇｅ：Ｐｅｒｉｏｄｉｃ ＭＲ、Ｅｖｅｎｔ ＭＲ）の伝送を要求するようにし、運用サーバー１３で活性化されたサブセルに対して測定報告メッセージ（ＭＲ Ｍｅｓｓａｇｅ：Ｐｅｒｉｏｄｉｃ ＭＲ、Ｅｖｅｎｔ ＭＲ）を収集するようにする。
【０１３６】
また、データ収集設定部２１は、端末から伝送される測定報告メッセージ（ＭＲ Ｍｅｓｓａｇｅ：Ｐｅｒｉｏｄｉｃ ＭＲ、Ｅｖｅｎｔ ＭＲ）の種類を設定する。例えば、Ｅｖｅｎｔ ＭＲ メッセージはハンドオーバーを行うための条件で発生するシグナリングであるのでセル間境界地域で発生し、Ｐｅｒｉｏｄｉｃ ＭＲ メッセージは周期的に報告されるシグナリングである。従って、システムに与える負荷を考慮してＥｖｅｎｔ ＭＲ メッセージとＰｅｒｉｏｄｉｃ ＭＲ メッセージとを両方収集するか選択的に収集するようにする。
【０１３７】
測定データ収集部２２は、データ収集設定部２１の設定に応じて運用サーバー１３を通じて移動通信端末から収集された測定報告メッセージ（ＭＲ Ｍｅｓｓａｇｅ：Ｐｅｒｉｏｄｉｃ ＭＲ、Ｅｖｅｎｔ ＭＲ）を既設定された周期に応じて受信する。
【０１３８】
または、他の実施例として、運用サーバー１３が収集したメッセージから図１９に示したような無線品質測定結果メッセージを生成し、これを測定データ収集部２２に伝送する場合もある。
【０１３９】
運用サーバー１３が生成する無線品質測定結果メッセージは移動通信端末から受信した測定報告メッセージ（ＭＲ Ｍｅｓｓａｇｅ：Ｐｅｒｉｏｄｉｃ ＭＲ、Ｅｖｅｎｔ ＭＲ）及びシステム内部的に管理するデータを組み合わせて生成され、システムメーカーに応じて変更され得る。例えば、ＲＴＴはシステム内部情報であって、基地局制御器（ＲＮＣ）と基地局（ＮｏｄｅＢ）間の規格（ＵＴＲＡＮ ｌｕｂ Ｉｎｔｅｒｆａｃｅ ＮＢＡＰ Ｓｉｇｎａｌｌｉｎｇ：３ＧＰＰ ＴＳ ２５.４３３）に準して獲得される値である。これを獲得するプロセスは次のようである。
【０１４０】
まず、基地局制御器（ＲＮＣ）１２は基地局（ＮｏｄｅＢ）１１にＲＴＴを獲得するための専用測定初期化要請（Ｄｅｄｉｃａｔｅｄ Ｍｅａｓｕｒｅｍｅｎｔ Ｉｎｉｔｉａｔｉｏｎ Ｒｅｑｕｅｓｔ[ＲＴＴ]）を伝送する。そうすれば、基地局（ＮｏｄｅＢ）１１はそれに対する応答としてＲＴＴ値を含んだ専用測定報告メッセージ（Ｄｅｄｉｃａｔｅｄ Ｍｅａｓｕｒｅｍｅｎｔ Ｒｅｐｏｒｔ[ＲＴＴ]）を基地局制御器（ＲＮＣ）１２に伝送する。
【０１４１】
そうすれば、基地局制御器（ＲＮＣ）１２は基地局（ＮｏｄｅＢ）１１から受信した専用測定報告メッセージ（Ｄｅｄｉｃａｔｅｄ Ｍｅａｓｕｒｅｍｅｎｔ Ｒｅｐｏｒｔ[ＲＴＴ]）と移動通信端末から測定報告メッセージ（ＭＲ）を通じて獲得した無線品質情報を加えて無線品質測定結果メッセージを生成した後、運用サーバー１３に伝送する。このように、システムは位置情報メッセージを無線品質分析装置２００に伝送する度に上記のプロセスを行って正確なＲＴＴを伝送できるようにすることが望ましい。
【０１４２】
無線品質分析部２３は、測定データ収集部２２が収集した測定報告メッセージ（ＭＲ Ｍｅｓｓａｇｅ：Ｐｅｒｉｏｄｉｃ ＭＲ、Ｅｖｅｎｔ ＭＲ）から無線品質を測定するための多様なデータを抽出して全体サービス領域に対する無線品質を分析する。無線品質分析部２３は無線品質を交換器（ＭＳＣ）別、基地局制御器（ＲＮＣ）単位、基地局（ＮｏｄｅＢ）単位、セクター単位、ＦＡ単位、ＦＡ及びセクター単位、ＲＴＴを活用した地域単位、時間帯別で分析できる。
【０１４３】
分析結果出力部２４は、無線品質分析部２３で分析した結果をグラフィック使用者インターフェース（ＧＵＩ：Ｇｒａｐｈｉｃ Ｕｓｅｒ Ｉｎｔｅｒｆａｃｅ）を通じて出力する。
【０１４４】
以下、本発明によるＷＣＤＭＡ無線網品質測定システムにおいて無線品質分析装置２００によって分析された無線網の品質結果例を図面を参照しながら説明する。
【０１４５】
図２１は、本発明の一実施例による無線品質分析装置が無線品質測定結果メッセージを利用して移動通信端末の受信感度（ＣＰＩＣＨ ＲＳＣＰ）を分析した結果を示す図面であって、５分単位で交換器（ＭＳＣ）、基地局制御器（ＲＮＣ）、基地局（ＮｏｄｅＢ）、セクター（ＳＥＣ）、周波数割り当て（ＦＡ）別に、ＣＰＩＣＨ ＲＳＣＰの信号強度に対する発生頻度を分析した結果を示している。ここで、ＲＳＣＰ インデックス値は実際ｄＢｍ表現に置き代えられる。
【０１４６】
そして、図２２は、本発明の一実施例による無線品質分析装置が無線品質測定結果メッセージを利用してパイロット信号強度（ＣＰＩＣＨ Ｅｃ／Ｉｏ）を分析した結果を示す図面であって、５分単位で交換器（ＭＳＣ）、基地局制御器（ＲＮＣ）、基地局（ＮｏｄｅＢ）、セクター（ＳＥＣ）、周波数割り当て（ＦＡ）別に、パイロット信号強度（ＣＰＩＣＨ Ｅｃ／Ｉｏ）に対する発生頻度を分析した結果を示している。ここで、Ｅｃ／Ｉｏ インデックス値は実際ｄＢ表現に置き代えられる。
【０１４７】
図２３は、本発明の一実施例による無線品質分析装置が無線品質測定結果メッセージを利用して端末送信電力（ＵＥ Ｔｒａｎｓｍｉｔｔｅｄ Ｐｏｗｅｒ）を分析した結果を示す図面であり、図２４は、本発明の一実施例による無線品質分析装置が無線品質測定結果メッセージを利用して移動通信端末送受信時間差（ＵＥ ＲＸ‐Ｔｘ Ｔｉｍｅ Ｄｉｆｆｅｒｅｎｃｅ）を分析した結果を示す図面である。
【０１４８】
また、図２５は、本発明の一実施例による無線品質分析装置が無線品質測定結果メッセージを利用してＲＴＴ（Ｒｏｕｎｄ Ｔｒｉｐ Ｄｅｌａｙ）による移動通信端末の受信感度（ＣＰＩＣＨ ＲＳＣＰ）を分析した結果を示す図面である。これと同じく、ＲＴＴによるＥｃ／Ｉｏ、ＵＥ Ｔｘ Ｐｏｗｅｒ、ＵＥ ＲＸ‐Ｔｘ Ｔｉｍｅ Ｄｉｆｆｅｒｅｎｃｅなどを分析することができる。
【０１４９】
一方、図２６は、本発明の一実施例による無線品質分析装置が無線品質測定結果メッセージを利用してハンドオーバー重畳地域の無線品質を分析した結果を示す図面であって、ＭＳＣ ＩＤ＝１２、ＲＮＣ＝１、ＮｏｄｅＢ＝５、ＳＥＣ＝０（Ａｌｐｈａ）を基準にしてハンドオーバー重畳地域に対する無線品質を分析した結果を示している。ここで、アクティブセットは各無線品質測定メッセージに含まれた「Ａｃｔｉｖｅ Ｓｅｔ」情報をテーブル化したものであって、それぞれのメッセージごとに個数化して示した。このとき、アクティブセットの個数を通じて、該当セクターは、単独地域（１Ｗａｙ）＝３４.８ ％、二重地域（２Ｗａｙ）＝４２％、三重地域（３Ｗａｙ）＝１４.５％、四重地域（４Ｗａｙ）＝７.２％、五重地域（５Ｗａｙ）＝１.４％であることが分かる。また、何れの基地局またはセクターとアクティブセットになってサービスするかを分析することができる。
【産業上の利用可能性】
【０１５０】
上記のような本発明は、ハンドオーバー及び／またはサービス品質維持のために加入者端末からシステムに報告されるメッセージを利用して無線網の品質を測定し分析することで、無線網品質測定に所要される費用と人力とを大幅に減らしながらも移動通信サービス網全体の無線品質を測定し分析することができる。
【図面の簡単な説明】
【０１５１】
【図１】図１は、本発明の望ましい一実施例による非同期ＷＣＤＭＡ無線網品質測定システムのネットワーク構成を示した図面である。
【図２】図２は、本発明の望ましい一実施例による同期ＣＤＭＡ無線網品質測定システムのネットワーク構成を示した図面である。
【図３】図３は、本発明の一実施例による非同期ＷＣＤＭＡ無線網品質測定方法を説明する流れ図である。
【図４】図４は、本発明の一実施例に従って図３の測定制御及び報告過程の詳細プロセスを示した図面である。
【図５】図５は、本発明の一実施例による同期ＣＤＭＡ無線網品質測定方法を説明する流れ図である。
【図６】図６は、本発明の他の実施例による非同期ＷＣＤＭＡ無線網品質測定方法を説明する流れ図である。
【図７】図７は、本発明の他の実施例による同期ＣＤＭＡ無線網品質測定方法を説明する流れ図である。
【図８】図８は、本発明のさらに他の実施例による非同期ＷＣＤＭＡ無線網品質測定方法を説明する流れ図である。
【図９】図９は、本発明のさらに他の実施例による同期ＣＤＭＡ無線網品質測定方法を説明する流れ図である。
【図１０】図１０は、本発明のさらに他の実施例による非同期ＷＣＭＤＡ無線網品質測定方法を説明する流れ図である。
【図１１】図１１は、本発明のさらに他の実施例による非同期ＷＣＭＤＡ無線網品質測定方法を説明する流れ図である。
【図１２】図１２は、本発明のさらに他の実施例による同期ＣＤＭＡ無線網品質測定方法を説明する流れ図である。
【図１３ａ】図１３ａは、移動通信端末のハンドオーバー状態を示す一実施例の図面である。
【図１３ｂ】図１３ｂは、ハンドオーバー状態で移動通信端末のパイロット信号強度（Ｅｃ／Ｉｏ）の変化を示す一実施例の図面である。
【図１４】図１４は、本発明の一実施例による非同期ＷＣＤＭＡ網においてイベント測定報告メッセージによるハンドオーバー制御過程を示す図面である。
【図１５】図１５は、非同期ＷＣＤＭＡ網において周期的測定報告メッセージ（ＰＭＲ）による呼処理プロセスを示す図面である。
【図１６】図１６は、本発明の一実施例による同期ＣＤＭＡ網においてパイロット強度測定メッセージ（ＰＳＭＭ）を利用してハンドオーバーを制御する過程を示した図面である。
【図１７】図１７は、本発明に利用される測定制御（ＭＣ）メッセージの例を示した図面である。
【図１８】図１８は、本発明に利用される測定報告（ＭＲ）メッセージの例を示した図面である。
【図１９】図１９は、本発明の一実施例による無線品質測定結果メッセージを示した図面である。
【図２０】図２０は、本発明の一実施例による非同期ＷＣＤＭＡ無線網の無線品質分析装置の構成図である。
【図２１】図２１は、本発明の一実施例による無線品質測定結果メッセージを利用して移動通信端末の受信感度（ＣＰＩＣＨ ＲＳＣＰ）を分析した結果を示す図面である。
【図２２】図２２は、本発明の一実施例による無線品質測定結果メッセージを利用してパイロット信号強度（ＣＰＩＣＨ Ｅｃ／Ｉｏ）を分析した結果を示す図面である。
【図２３】図２３は、本発明の一実施例による無線品質測定結果メッセージを利用して端末送信電力（ＵＥ Ｔｒａｎｓｍｉｔｔｅｄ Ｐｏｗｅｒ）を分析した結果を示す図面である。
【図２４】図２４は、本発明の一実施例による無線品質測定結果メッセージを利用して端末送受信時間差（ＵＥ ＲＸ‐Ｔｘ Ｔｉｍｅ Ｄｉｆｆｅｒｅｎｃｅ）を分析した結果を示す図面である。
【図２５】図２５は、本発明の一実施例による無線品質測定結果メッセージを利用してＲＴＴ（Ｒｏｕｎｄ Ｔｒｉｐ Ｄｅｌａｙ）による移動通信端末の受信感度（ＣＰＩＣＨ ＲＳＣＰ）を分析した結果を示す図面である。
【図２６】図２６は、本発明の一実施例による無線品質測定結果メッセージを利用してハンドオーバー重畳地域の無線品質を分析した結果を示す図面である。
【図１】
2009528803.tif 000003
【図２】
2009528803.tif 000004
【図３】
2009528803.tif 000005
【図４】
2009528803.tif 000006
【図５】
2009528803.tif 000007
【図６】
2009528803.tif 000008
【図７】
2009528803.tif 000009
【図８】
2009528803.tif 000010
【図９】
2009528803.tif 000011
【図１０】
2009528803.tif 000012
【図１１】
2009528803.tif 000013
【図１２】
2009528803.tif 000014
【図１３ａ】
2009528803.tif 000015
【図１３ｂ】
2009528803.tif 000016
【図１４】
2009528803.tif 000017
【図１５】
2009528803.tif 000018
【図１６】
2009528803.tif 000019
【図１７】
2009528803.tif 000020
【図１８】
2009528803.tif 000021
【図１９】
2009528803.tif 000022
【図２０】
2009528803.tif 000023
【図２１】
2009528803.tif 000024
【図２２】
2009528803.tif 000025
【図２３】
2009528803.tif 000026
【図２４】
2009528803.tif 000027
【図２５】
2009528803.tif 000028
【図２６】
2009528803.tif 000029
【手続補正書】
【提出日】平成19年11月7日(2007.11.7)
【手続補正１】
【補正対象書類名】図面
【補正対象項目名】図２
【補正方法】変更
【補正の内容】
【図２】
2009528803.tif 000030
【国際調査報告】
2009528803.tif 000031
2009528803.tif 000032